(57)【要約】【課題】ワイヤレススピーカを備えた傘を提供する。【解決手段】傘は、傘本体と手元とを有する。手元は、傘本体のシャフトの下端で強固に取り付けられ、ワイヤレススピーカを有している。ユーザは、この傘を使う場合には、スピーカを持っているのと同じように、いつでも音楽を聴くことができる。さらに、傘は、より便利にモバイルデバイスを介して通信するためにモバイルデバイスに接続することができる。こうして、本考案の傘は、傘本体によってユーザが雨から濡れないようにすることができ、ユーザはワイヤレススピーカを介して音楽を聴いたり、誰かと通信したりすることができる。さらに、音楽を聴いたり通信したりするときには、ユーザは、タイムリーに周辺に対応し、事故を回避することができる。【選択図】図１
0003219404.tif 000002
【実用新案登録請求の範囲】
【請求項１】
シャフトと、各々の一端が前記シャフトの上端に接続されており前記シャフトの上端から外向きに延びる複数の親骨と、前記親骨に強固に取り付けられた生地とを備える傘本体と、
前記シャフトの下端に強固に取り付けられておりワイヤレススピーカを備える手元と、
を備える、傘。
【請求項２】
互いに対向する第１の面と第２の面とを有する取付座を備え、
前記取付座の第１の面は前記シャフトの下端に取り付けられ、前記取付座の第２の面には前記ワイヤレススピーカが着脱自在に取り付けられる、請求項１記載の傘。
【請求項３】
前記ワイヤレススピーカは、
前記取付座の第２の面に着脱可能に取り付けられた固定端と、
前記固定端の反対側の音声出力端とを備える、請求項２記載の傘。
【請求項４】
前記取付座は、
前記取付座の第２の面に形成されている、前記ワイヤレススピーカに向かって突出する環状のフランジと、
前記環状フランジの内面に形成された少なくとも一つのタブとを備え、
前記ワイヤレススピーカの固定端は前記環状フランジ内で選択的に受けられ、
前記ワイヤレススピーカは、更に、前記ワイヤレススピーカの固定端の外面に形成された少なくとも一つの溝を備え、
前記取付座の少なくとも一つのタブは、前記少なくとも一つの溝で選択的に受けられる、請求項３記載の傘。
【請求項５】
前記少なくとも一つの溝の各々の一端は開放端であり、前記少なくとも一つの溝のそれぞれの他端は閉鎖端であり、
前記開放端は、前記ワイヤレススピーカの固定端の、前記取付座に面する表面に向かって延びていて外部周辺と連通しており、
前記開放端と前記閉鎖端とが相互に連通しており、
前記開放端は前記ワイヤレススピーカの軸方向に延び、前記閉鎖端は前記ワイヤレススピーカの円周方向に延びている請求項４記載の傘。
【請求項６】
前記ワイヤレススピーカは、
ケースと、
前記ケース内に取り付けられるスピーカと、
前記ケース内に強固にかつ前記ケースの内面に隣接して取り付けられる磁気素子と、を含む請求項１〜５のいずれか記載の傘。
【請求項７】
前記ワイヤレススピーカは、
充電ホールと、前記充電ホールを着脱可能に封止する蓋とを備える、請求項１〜６のいずれか記載の傘。
【考案の詳細な説明】
【技術分野】
【０００１】
本考案は、傘に関し、特に、音や音楽を再生可能な傘に関する。
【背景技術】
【０００２】
機嫌が悪いときにそれを直すために最も一般的な方法の一つとして、音楽を聴くことが挙げられる。多くの人にとって、日常生活を送る上では、音楽は重要である。多くの人は、携帯電話機などのモバイルデバイスに接続されるヘッドフォンを用いて、いつでもどこでも音楽を聴けるようにしている。モバイルデバイスからヘッドフォンに対して、オーディオ信号／ファイルを提供することで、ヘッドフォンから音又は音楽を再生することができる。しかし、ヘッドフォンを介して音を聴くときに、ユーザは、再生されるオーディオに集中していることから、周辺で発生する音に意識が回らないことがある。また、使用時にはヘッドフォンが外耳道を塞ぐので、ユーザが周辺からの音を聞き取りにくくなる。したがって、屋外でヘッドフォンを用いると、ユーザが車のクラクションが聞こえなかったり、自転車のベルが聞こえなかったりする場合があり、これでは事故が発生しかねない。特に、雨天の日にユーザが傘を使うと傘がユーザの視界を遮ることがあり、さらに交通状況又は道路状況がより混乱していると危険が増す。
【考案の概要】
【考案が解決しようとする課題】
【０００３】
これらを解消するために、本考案は、前述の問題を軽減することができ又は回避することができるワイヤレススピーカを有する傘を提供する。
【０００４】
本考案の主な目的は、ヘッドフォンを用いないようにしてユーザが周辺の音を聞こえるように、オーディオ信号／ファイルを再生可能なワイヤレススピーカを備えた傘を提供することである。
【課題を解決するための手段】
【０００５】
この傘は、傘本体と手元とを有する。傘本体は、シャフトと、複数の親骨と、生地とを有する。各親骨の一端はシャフトの上端に接続されており、各親骨はシャフトの上端から外向きに延びている。生地は、親骨に強固に取り付けられている。手元は、シャフトの下端に強固に取り付けられていて、ワイヤレススピーカを備える。
【０００６】
このような構造により、本考案の傘を用いる場合、ユーザは、スピーカを持っているかのように、いつでも音楽を聴くことができる。さらに、傘は、モバイルデバイスに接続することが可能であり、便利に通信することができる。こうして、本考案の傘は、傘本体によってユーザが雨から濡れないようにすることができ、ユーザはワイヤレススピーカを介して音楽を聴いたり、誰かと通信したりすることができる。さらに、音楽を聴いたり通信したりするときには、ユーザは、周辺からの音を聞くことが可能であるのでタイムリーに周辺に対応し、事故を回避することができる。
【０００７】
本考案の他の目的、利点及び新規な特徴は、添付の図面と併せて以下の詳細な説明から明らかになるであろう。
【図面の簡単な説明】
【０００８】
【図１】本考案に係るワイヤレススピーカを備える傘の斜視図である。
【図２】図１の傘の手元の斜視図である。
【図３】図１の傘の手元の分解斜視図である。
【符号の説明】
【０００９】
１０  傘本体
１１  シャフト
１２  親骨
１３  生地
２１  ワイヤレススピーカ
２２  取付座
２１１  磁性素子
２１１  充電ホール
２１３  蓋
２１４  固定端
２１５  音声出力端
２１４０  溝
２２１  環状フランジ
２２２  タブ
【考案を実施するための形態】
【００１０】
図１〜図３には、本考案に係るワイヤレススピーカを備える傘が示されている。この傘は、傘体１０と手元２０とを備えている。傘本体１０は、シャフト１１と、複数の親骨１２と、生地１３とを備えている。各親骨１２の一端は、シャフト１１の上端に接続されており、各親骨１２はシャフト１１の上端から外向きに延びている。換言すると、親骨１２は、半径方向に配置されている。生地１３は、親骨１２に強固に取り付けられている。
【００１１】
手元２０は、シャフト１１の下端に強固に取り付けられており、ワイヤレススピーカ２１を備え、さらに取付座２２を選択的に備えている。ワイヤレススピーカ２１は、ケース及びスピーカを備え、さらに、選択的に、磁性素子２１１、充電ホール２１２、及び、蓋２１３を備えている。スピーカ及び磁性素子２１１は、ケースに強固に取り付けられており、磁性素子２１１はケースの一端の内面に隣接している。正確には、ケースの端部は、取付座２２に取り付けられたケースの端部となるが、これに限定されるものではない。蓋２１３は、充電ホール２１２を着脱自在にシールし、水及び埃がケース内に侵入することを防止する。しかし、別の実施形態では、ワイヤレススピーカ２１は、充電ホールを含まないものにして、代わりに交換可能なバッテリ又はワイヤレス充電アセンブリを備えることもできる。取付座２２を有さない実施形態では、ワイヤレススピーカ２１を傘本体１０から分離することはできないが、取付座２２を有する実施形態では、ワイヤレススピーカ２１を傘本体１０から分離することができる。以下、取付座２２を有する実施形態に関して詳細に説明する。
【００１２】
取付座２２の第１の面はシャフト１１の下端に取り付けられ、ワイヤレススピーカ２１は取付座２２の第２の面に着脱可能に取り付けられる。
【００１３】
正確には、ワイヤレススピーカ２１の二つの端部は、それぞれ、固定端２１４及び音声出力端２１５となる。固定端２１４は、取付座２２の第２面に着脱自在に装着される。スピーカ及び磁性体２１１は、音声出力端２１５に取り付けられ、充電ホール２１２及び蓋２１３は、音声出力端２１５の横断面に取り付けることができるが、これに限定されるものではない。ワイヤレススピーカ２１は、少なくとも一つの溝２１４０を有し、少なくとも一つの溝２１４０は、固定端２１４の外面に形成される。この実施形態では、ワイヤレススピーカ２１は、複数の溝２１４０を備えるが、これに限定されるものではない。溝２１４０は、固定端２１４の外面に均等に配置されている。溝２１４０の二つの端部は、それぞれ、開放端及び閉鎖端である。開放端は固定端２１４の表面に向かって延びていて外
部周辺と連通しており、固定端２１４の表面は取付座２２に面している。開放端と閉鎖端とは互いに連通している。開放端はワイヤレススピーカ２１の軸方向に延び、閉鎖端はワイヤレススピーカ２１の周方向に延びている。
【００１４】
取付座２２は、環状フランジ２２１と、少なくとも一つのタブ２２２とを備える。環状フランジ２２１は、取付座２２の第２の面上に配置され、ワイヤレススピーカ２１に向けて突出している。したがって、ワイヤレススピーカ２１の固定端２１４が取付座２２に取り付けられる場合に、固定端２１４が環状フランジ２２１で受けられる。タブ２２２は、環状フランジ２２１の内面に形成される。この実施形態では、取付座２２は複数のタブを備えている。タブ２２２は、環状フランジ２２１の内面に均一に形成され、ワイヤレススピーカ２１の溝２１４０の数及び位置に対応する数及び位置とされている。したがって、タブ２２２が溝２１４０でそれぞれ受けられると、ワイヤレススピーカ２１が取付座２２に固定されることになる。
【図１】
0003219404.tif 000003
【図２】
0003219404.tif 000004
【図３】
0003219404.tif 000005